(57)【特許請求の範囲】
【請求項１】
第１の部材を第２の部材の係止位置に保持するラッチ装置であって、
前記第２の部材に固定される支持具と、
前記係止位置の近傍位置に位置する前記第１の部材に係脱可能に前記支持具に設けられるとともに、前記第１の部材を前記近傍位置から前記係止位置に移動させるように前記支持具に移動可能に設けられたラッチ具と、
前記支持具に回動自在に設けられ、回動操作により前記ラッチ具に摺接して、前記第１の部材が前記近傍位置から前記係止位置へ移動するように前記ラッチ具を推進するカム部を有し、前記第１の部材を前記係止位置に保持するように前記カム部で前記ラッチ具を支持するラッチ受けとを備え、
前記ラッチ具は軸を有し、前記カム部は前記軸が摺接する凸曲のカム面と、前記カム面に連続して形成され前記軸が嵌合する凹部または平面部とを有し、前記カム部が回動することにより前記ラッチ具で前記第１の部材を前記係止位置に移動させるように前記軸を移動させ、前記カム部が回動して前記軸が前記凹部または平面部に嵌合することにより、前記第１の部材を前記係止位置に保持するように前記ラッチ具を支持するラッチ装置。
【請求項２】
前記支持具は溝を有し、前記ラッチ具は前記軸が前記溝に挿入されて前記支持具に回動かつ移動自在に取付けられ、前記ラッチ受けの前記カム部は回動操作により前記軸に摺接して前記軸を前記溝に沿って移動させる請求項１記載のラッチ装置。
【請求項３】
前記ラッチ受けは前記支持具を包囲する形状を有する請求項１または請求項２記載のラッチ装置。
【請求項４】
前記ラッチ具は前記第１の部材を受ける部分がばね性を有する請求項１、請求項２または請求項３記載のラッチ装置。
【請求項５】
前記ラッチ受けは前記軸と別のラッチ受け軸により前記支持具に回動自在に連結され、前記ラッチ受け軸は前記軸よりも前記第１の部材側に配置され、前記ラッチ受けは前記ラッチ具の支持を解除する方向への前記カム部の回動操作により、前記ラッチ具を押動して前記第１の部材を前記係止位置から係止解除する請求項１から請求項４のいずれか一項記載のラッチ装置。
【請求項６】
請求項１から請求項５のいずれか一項記載のラッチ装置を備えた照明器具であって、前記第２の部材が器具本体であり、前記第１の部材が前記器具本体の開口を開閉する透光性部材である照明器具。
【発明の詳細な説明】
【技術分野】
【０００１】
この発明は、例えばトンネルなどに設置されるトンネル照明器具の表面のガラスなど透光性部材を止めるためのラッチ装置およびそれを用いた照明器具を関するものである。
【背景技術】
【０００２】
従来のこの種のトンネル照明器具は、透光性部材の保持手段としてラッチ装置を採用してきた。その第１の従来例を図４に示す。すなわち、第１の従来例は、ランプ５０の光を照射するための開口５１を具備した器具本体５２と、器具本体５２の開口縁部に配設されたゴムパッキン５３を介して開口５１を閉塞する透光性部材５４とを備え、透光性部材５４は一端を蝶番５５で器具本体５２に連結し、他端をラッチ装置５６で器具本体５２に開閉可能に保持している。ラッチ装置５６は、器具本体５２に取付けられた支持具５７と、支持具５７に軸５８を介して連結されたラッチ受け５９と、ラッチ受け５９に軸６０を介して連結されたラッチ具６１とを備えている。一方透光性部材５４にはラッチ具６１が係止するラッチ掛かり具６２を設けている。
【０００３】
第２の従来例を図５および図６に示す。第２の従来例は、第１の従来例において、透光性部材５４を中央に固着した枠体６３で器具本体５２の開口５１を閉塞するものであり、枠体６３と器具本体５２とを蝶番５５で連結し、ラッチ具６１を受ける、第１の従来例のラッチ掛かり具６２は枠体６３に設けた掛かり部６４により代用している（特許文献１参照）。
【０００４】
図６において、図（ａ）はラッチ具６１が掛かり具６４から外れた状態である。この場合、透光性部材５４を中央に固着した枠体６３は器具本体５２から開くことができ、ランプ交換等ができる。図（ｂ）は掛かり部６４にラッチ具６１を引っ掛けながらラッチ受け５９を回動した途中の状態であり、図（ｃ）はラッチ受け５９が回動を終えて支持具５７に係止するとともに透光性部材５４を中央に固着した枠体６３で開口５１を完全に閉じた状態である。この場合、ラッチ具６１の掛かり部６４との係合点６４ａと軸５８とを結ぶ線をラッチ具６１の軸６０が乗り越えるのでラッチ状態が保持される。
【特許文献１】特開２００４−１６５１２９公報
【発明の開示】
【発明が解決しようとする課題】
【０００５】
従来のラッチ装置は、２本の軸５８、６０を回動中心としてラッチ具６１およびラッチ受け５９が回動することにより、透光性部材５４または枠体６３を開口５１の縁部に保持する。この場合、ラッチ具６１は透光性部材５４または枠体６３を保持する方向に可動すると同時に保持する方向と直角な方向にも可動する。このため、ラッチ具６１を保持する方向と直角な方向に動かないようにラッチ掛かり具６２を設けるかまたはそれと同様な機能を有する構造をとる必要がある。
【０００６】
この結果、第１の従来例ではラッチ掛かり具６２が必要なため、およびそれを透光性部材５４に固着するための加工費用がかかる。第２の従来例では枠体６３そのものおよび透光性部材５４を枠体６３に固着するための費用がかかるとともに、枠体６３にラッチ掛かり具と同構造のものを加工するための費用がかかる。
【０００７】
したがって、この発明の目的は、ラッチ掛かり具を不要として部品点数を削減でき、コストを低下することができるラッチ装置および照明器具を提供することである。
【課題を解決するための手段】
【０００８】
この発明のラッチ装置は、第１の部材を第２の部材の係止位置に保持するものである。支持具は前記第２の部材に固定される。ラッチ具は、前記係止位置の近傍位置に位置する前記第１の部材に係脱可能に前記支持具に設けられるとともに、前記第１の部材を前記近傍位置から前記係止位置に移動させるように前記支持具に移動可能に設けられている。ラッチ受けは、前記支持具に回動自在に設けられ、回動操作により前記ラッチ具に摺接して、前記第１の部材が前記近傍位置から前記係止位置へ移動するように前記ラッチ具を推進するカム部を有し、かつ前記第１の部材を前記係止位置に保持するように前記カム部で前記ラッチ具を支持する。前記ラッチ具は軸を有し、前記カム部は前記軸が摺接する凸曲のカム面と、前記カム面に連続して形成され前記軸が嵌合する凹部または平面部とを有し、前記カム部が回動することにより前記ラッチ具で前記第１の部材を前記係止位置に移動させるように前記軸を移動させ、前記カム部が回動して前記軸が前記凹部または平面部に嵌合することにより、前記第１の部材を前記係止位置に保持するように前記ラッチ具を支持する。
【０００９】
上記構成において、前記支持具は溝を有し、前記ラッチ具は前記軸が前記溝に挿入されて前記支持具に回動かつ移動自在に取付けられ、前記ラッチ受けの前記カム部は回動操作により前記軸に摺接して前記軸を前記溝に沿って移動させる。
【００１１】
上記構成において、前記ラッチ受けは前記支持具を包囲する形状を有する。
【００１２】
上記構成において、前記ラッチ具は前記第１の部材を受ける部分がばね性を有する。
【００１３】
上記構成において、前記ラッチ受けは前記軸と別のラッチ受け軸により前記支持具に回動自在に連結され、前記ラッチ受け軸は前記軸よりも前記第１の部材側に配置され、
前記ラッチ受けは前記カム部が前記ラッチ具の支持を解除する方向の回動操作により、前記ラッチ具を押動して前記第１の部材を前記係止位置から係止解除する。
【００１４】
この発明の照明器具は、上記構成のラッチ装置を備えた照明器具であって、前記第２の部材が器具本体であり、前記第１の部材が前記器具本体の開口を開閉する透光性部材である。
【発明の効果】
【００１５】
この発明のラッチ装置によれば、第１の部材を第２の部材の係止位置の近傍位置から係止位置へラッチ具により移動させて保持することができるので、従来のラッチ掛かり具が必要でなく、部品点数を削減でき、コスト低減を図ることができる。カム部に凹部または平面部を設けることにより、軸が凹部または平面部に係止し、ラッチ受けを固定することができるので、カム部で軸に摩擦係止してラッチ受けを固定する場合と比較して、ラッチ具を安定支持でき、第１の部材を第２の部材に安定して保持できる。
【００１６】
ラッチ具に軸を設け軸が移動可能な溝を支持具に設けたため、カム部を軸に摺接し軸を推進移動させることができるので、構成が簡単になる。すなわち、ラッチ具に溝を形成し支持具に軸を設けた場合にはカム部が摺接する部分をラッチ具に別に設ける必要があり、構成が複雑になる。
【００１８】
ラッチ受けが支持具の外側になれば見栄えがよい。
【００１９】
ラッチ具がばね性を有することより、第１の部材の寸法ばらつきや、第１の部材の各種要因による変位に対して安定して第１の部材を保持することができる。
【００２０】
ラッチ受けを支持具に取付けるラッチ受け軸が、ラッチ具を支持具に取付ける軸に対して第１の部材側に配設されている方が、第１の部材を第２の部材から解放する際にラッチ受けの回動操作でラッチ具を係止位置から離れる方向に駆動できるので、ラッチ装置の開閉操作が容易である。  
【００２１】
この発明の照明器具によれば、ラッチ装置により器具本体の開口を透光性部材で閉じた状態に保持するため、部品点数を削減しコスト安にできる。
【発明を実施するための最良の形態】
【００２２】
この発明の第１の実施の形態のラッチ装置を備えたトンネル照明器具を図１から図３に示す。すなわち、このトンネル照明器具は、器具本体１の開口２を透光性部材３で塞ぎ、透光性部材３をラッチ装置４で器具本体１に保持している。トンネル照明器具は、通常トンネル内において透光性部材３が器具本体１に対して地面側にある状態に設置される。
【００２３】
器具本体１は、下面に開口２を形成した密閉箱形であり、天部に取付板５をねじ等の連結具１７により固定している。取付板５はトンネル内の壁面や天面に取付けられる。器具本体１内には、点灯装置６、反射板７およびランプ８が配設されている。９はランプ保持ばね、１０は電源線の密閉挿通部である。  
【００２４】
ランプ８は一個または複数個あり、開口２はこれらのランプ８の光を照射するものである。
【００２５】
透光性部材３は、たとえばガラス板であり、透光性部材３を開口２に気密部材として例えばゴムパッキン１１を介して閉塞する。ゴムパッキン１１は器具本体１の開口縁部に配設されている。
【００２６】
透光性部材３の一端部は器具本体１に蝶番１２により回動自在に取付けられている。
【００２７】
透光性部材３の他端部はラッチ装置４により閉じた状態に保持されている。ラッチ装置４は主に支持具１３、ラッチ具１４およびラッチ受け１５により構成されている。これらは例えば金具により形成している。
【００２８】
支持具１３は、板材を中央片１６と両側片２０からなるコ字形に折曲した形状を有し、その中央片１６に取付孔（図示せず）を形成し、取付孔を通してねじ等の取付具により器具本体１に取付けられる。両側片２０の上側には取付面となる中央片１６と平行な縦長のスリット状の溝１８を形成し、その下側に軸挿通孔１９を形成している。
【００２９】
ラッチ具１４は板材を第１片２１と第２片２２からなる略Ｌ字形に折曲し、第１片２１は先端を横Ｕ字形に折り返すことによりラッチ部２３を形成し、ラッチ部２３に縦方向の弾性を付与し、さらにその先端２４を垂直に立てている。またラッチ部２３の上面に柔軟性または弾性を有する板材２５を貼付している。これらにより透光性部材３がガラスなどの場合に透光性部材３にラッチ部２３を係合しても、透光性部材３の傷付きを防止できるとともに、弾性により係止位置となるゴムパッキン１１の位置のばらつき等に対応できる。第２片２２は両側に連結片２６を設け、その連結片２６の上端を上方およびラッチ部２３側に向けて延出し、その延出端間に第１の軸２７を設け、第１の軸２７を溝１８に挿通している。これにより、ラッチ具１４は第１の軸２７が溝１８に支持されて任意の位置で回動自在となり、かつ、溝１８に沿って移動自在となる。  
【００３０】
ラッチ受け１５は、操作部２９がコ字形の支持具１３に対向する板状であり、その両側下端に折曲したカム部３０を支持具１３の両側の外側に被せて、支持具１３を包囲している。また図ではカム部３０は連結片２６の内側になっている。カム部３０間にラッチ受け軸である第２の軸３１を通し、第２の軸３１の両端を支持具１３の軸挿通孔１９に挿通している。これにより、ラッチ受け１５は、第１の軸２７よりも透光性部材３側に配置された第２の軸３１により支持具１３に回動自在に取付けられ、操作部２９の回動操作により回動することができる。カム部３０はその周縁を第１の軸２７に摺接するカム面３２としている。このカム面３２はラッチ受け１５の回動により第１の軸２７を介してラッチ具１４を溝１８に沿って動かす形状を有する。すなわち、操作部２９を水平姿勢から垂直姿勢に第２の軸３１の回りに略９０度回動する間に、カム面３２が第１の軸２７に摺接して溝１８の下端部から上端部に押上げるように第１の軸２７を推進する。さらに第１の軸２７を溝１８の上端部に押し上げた位置で操作部２９が保持されるようにカム面３２に第１の軸２７が嵌合する凹部３３を形成している。また、ラッチ受け１５は操作部２９が垂直姿勢から水平姿勢に回動する、すなわち透光性部材３の保持を解放する方向に回動する際に操作部２９がラッチ具１４の第２の片２２の上端部に係合し、操作部２９でラッチ具１４を押し下げて、第１の軸２７を溝１８の上端部から下端部に強制的に移動させることができる。
【００３１】
このラッチ装置の動作について説明する。図１（ａ）は第１の部材である透光性部材３が第２の部材である器具本体１の係止位置すなわちゴムパッキン１１を圧縮した位置にラッチ具１４のラッチ部２３により保持している状態である。このとき、ラッチ受け１５の操作部２９は垂直姿勢となり、第１の軸２７は溝１８の上端部に位置し、カム面３２の凹部３３に嵌合することにより支持されている。図１（ｂ）はラッチ具１４が保持状態から下方に移動して、透光性部材３が蝶番１２によって回動し透光性部材３の自由端が器具本体１の係止位置からその近傍位置へ離れた状態である。ただし、図ではゴムパッキン１１の復元によりゴムパッキン１１と透光性部材３がほぼ接触した状態となっている。このとき、ラッチ受け１５の操作部２９は略水平姿勢となり、ラッチ具１４の第１の軸２７は溝１８の下端部に移動している。さらにこのとき、ラッチ受け１５の操作部２９でラッチ具１４の第２の片２２の上端部を押し下げている。図１（ｃ）はラッチ具１４が第１の軸２７を中心に回動して透光性部材３から離脱した状態である。これにより、透光性部材３は蝶番１２により自由に回動可能となり、開口２を開くことができ、したがってランプ交換等の保守が可能となる。  
【００３２】
すなわち、図１（ｂ）および（ｃ）の状態は、透光性部材３が器具本体１の係止位置の近傍に位置し、ラッチ具１４を回動操作することによりラッチ具１４が透光性部材３に係脱する状態である。
【００３３】
一方、透光性部材３で器具本体１の開口２を閉じるときは、透光性部材３の図１（ｃ）の状態からラッチ具１４を手動で矢印と反対方向に回動してラッチ具１４のラッチ部２３を透光性部材３の下面に係合し、図１（ｂ）の状態にする。つぎにラッチ受け１５の操作部２９を水平姿勢から図１（ａ）に示す垂直姿勢に回動操作する。このときカム面３２により第１の軸２７を押上げるため、第１の軸２７は溝１８に沿って下端部から上端部に移動し、第１の軸２７がカム面３２の凹部３３に嵌合して保持され、ラッチ受け１５も水平姿勢への回動が阻止される。第１の軸２７の垂直上方への移動により、ラッチ具１４のラッチ部２３が上方に移動して透光性部材３を器具本体１の係止位置、すなわちゴムパッキン１１を圧縮した位置に押しつける。
【００３４】
この発明の第２の実施の形態として、第１の実施の形態のラッチ受け１５のカム部３０を支持具１３の内側に位置させてもよい。
【００３５】
なお、この発明において、溝１８をラッチ具１４に設け、第１の軸２７を支持具１３に設けてもよい。この場合、カム部３０が摺接する部分をラッチ具１４に設けるものとする。
【００３６】
また溝１８は長孔状のほか有底の溝でもよい。この場合、第１の軸２７はラッチ具１４の各連結片２６に別々に設けられる。
【００３７】
凹部３３はラッチ具１４をラッチ受け１５で支持するものであるので、カム面３２の凹部３３に代えて平面にしてもよく、さらに第１の軸２７に摩擦係止できる程度の曲面でもよい。
【００３８】
透光性部材３は従来のように枠体で保持したものでもよい。ただし、枠体のラッチ掛かり部は不要である。
【００３９】
またこのラッチ装置は照明器具以外にも適用可能であり、この場合支持具が固定される部材が可動であってもよい。
【００４０】
ラッチ具１４は第１の軸２７が溝１８に挿通されているが、溝１８は縦溝と横溝のあるＬ字形の溝または溝に形成してもよく、この場合横溝または横溝に沿って第１の軸２７が移動することでラッチ具１４が透光性部材３に係脱することができるので、ラッチ具１４は回動自在に設けられなくてもよい。
【図面の簡単な説明】
【００４１】
【図１】この発明の第１の実施の形態のラッチ装置を示し、（ａ）はラッチ状態の断面図、（ｂ）はラッチ解除状態の断面図、（ｃ）はラッチ具を透光性部材から離した状態の断面図、（ｄ）はラッチ受けの側面図である。
【図２】第１の実施の形態のトンネル照明器具の断面図である。
【図３】（ａ）はラッチ受けと支持具との関係を示す側面図、（ｂ）はその平面図である。
【図４】第１の従来例のトンネル照明器具の断面図である。
【図５】第２の従来例のトンネル照明器具の断面図である。
【図６】そのラッチ装置を示し、（ａ）はラッチ解除状態の断面図、（ｂ）はラッチの途中の状態の断面図、（ｃ）はラッチ状態の断面図である。
【符号の説明】
【００４２】
１    器具本体
２    開口
３    透光性部材
４    ラッチ装置
１１    ゴムパッキン
１３    支持具
１４    ラッチ具
１５    ラッチ受け
２３    ラッチ部
２７    第１の軸
２９    操作部
３０    カム部
３１    第２の軸
３３    凹部    
【図１】
0004699132.tif 000002
【図２】
0004699132.tif 000003
【図３】
0004699132.tif 000004
【図４】
0004699132.tif 000005
【図５】
0004699132.tif 000006
【図６】
0004699132.tif 000007